(57)【要約】【課題】造花スタンドの収納時及び設置時における作業効率を向上できる造花スタンド用収納ケースを提供する。【解決手段】造花スタンド用収納ケース３０を、一部に開口面を有する略直方体状の下部ダンボール箱３０Ａと、この下部ダンボール箱３０Ａと略同一形状の上部ダンボール箱３０Ｂとで構成する。そして、下部ダンボール箱３０Ａの内部には、造花２０の茎部２１を立てて支持した状態の造花スタンド１０を折り畳まずに収納可能な収納部３１を設けるとともに、上部ダンボール箱３０Ｂには、その下面をなすダンボール板に内部が目視可能な窓部３１Ｂを設けた構成とする。【選択図】図１
0003124704.tif 000002
【実用新案登録請求の範囲】
【請求項１】
造花を支持した状態の造花スタンドを収納する収納ケースであって、
全体が箱体からなり、この箱体の内部に前記造花スタンドを折り畳まずに収納可能な収納部が設けられているとともに、前記箱体の一部に内部が目視可能な窓部が設けられていることを特徴とする造花スタンド用収納ケース。
【請求項２】
前記箱体は、ダンボール箱であることを特徴とする請求項１に記載の造花スタンド用収納ケース。
【考案の詳細な説明】
【技術分野】
【０００１】
本考案は、造花の茎部を立てて支持した状態の造花スタンドを収納するための収納ケースに関するものである。
【背景技術】
【０００２】
従来、造花を販売する際の陳列台として使用したり、式典や葬式等の式場を造花で装飾する際の装飾台として使用したりするための造花スタンドとして、造花の茎部を立てた状態で支持するものが用いられている。
【０００３】
このような造花スタンドを収納するケースの一例として、特許文献１には、造花スタンドを折り畳んで収納するようにした収納ケースが提案されている。
【特許文献１】特開２００４−２４４７５３号公報
【考案の開示】
【考案が解決しようとする課題】
【０００４】
しかしながら、上述した特許文献１に記載の造花スタンド用収納ケースにおいては、造花スタンドを折り畳んで収納する構成となっているため、収納ケース内に造花を収納する際に造花スタンドを折り畳む作業や、収納ケースから取り出して造花を設置する際に造花スタンドを完成させる作業が必要であり、造花スタンドの収納時及び設置時における作業効率が良好ではないという問題があった。
【０００５】
そこで、本考案は、上記事情に鑑みてなされたものであり、造花スタンドの収納時及び設置時における作業効率を向上できる造花スタンド用収納ケースを提供することを課題としている。
【課題を解決するための手段】
【０００６】
このような課題を解決するために、本考案に係る造花スタンド用収納ケースは、造花を支持した状態の造花スタンドを収納する収納ケースであって、全体が箱体からなり、この箱体の内部に前記造花スタンドを折り畳まずに収納可能な収納部が設けられているとともに、前記箱体の一部に内部が目視可能な窓部が設けられている構成としている。
【０００７】
本考案に係る造花スタンド用収納ケースによれば、造花を支持した状態の造花スタンドを折り畳まずに収納可能な収納部が設けられていることにより、上述した特許文献１に記載の造花スタンド用収納ケースのように、収納時に造花スタンドを折り畳む作業や、設置時に造花スタンドを完成状態に仕上げる作業が不要となるため、造花スタンドの収納時及び設置時における作業効率を向上させることができる。
【０００８】
また、本考案に係る造花スタンド用収納ケースによれば、その内部が目視可能な窓部を設けたことにより、収納ケース内に収納されている造花スタンドの種類を収納ケースの外部から容易に識別できるため、造花スタンドの収納時及び設置時における作業効率をより向上させることができるとともに、収納ケース内に造花スタンドを収納した状態で、店舗内に陳列したり、式場や会場内に設置したりすることができるため、造花スタンドの設置に伴う作業効率を向上させることができる。
【０００９】
ここで、本考案に係る造花スタンド用収納ケースにおいて、前記箱体は、ダンボール箱で構成してもよい。
これによれば、造花スタンド用収納ケースを軽量で耐久性に優れた構成にできるため、造花スタンド用収納ケースの搬送性及び耐久性を向上させることができるとともに、造花スタンド用収納ケースの作製に要するコストを低減できる。
【考案の効果】
【００１０】
本考案に係る造花スタンド用収納ケースによれば、造花を支持した造花スタンドを折り畳まずに収納可能な収納部が設けられているとともに、収納ケースをなす箱体の内部が目視可能な窓部が設けられていることにより、造花スタンドの収納時及び設置時における作業効率を向上させることが可能となる。
【考案を実施するための最良の形態】
【００１１】
以下、本考案の実施形態について図面を参照しながら説明する。
【００１２】
図１は、本考案に係る造花スタンド用収納ケースの一使用例を示す斜視図である。図２は、本考案に係る造花スタンド用収納ケースの一例を示す分解斜視図である。
【００１３】
この収納ケース３０は、図１に示すように、全体がダンボール板で構成された略直方体状のダンボール箱からなる造花スタンド１０を、造花２０の茎部２１を立てて支持した状態で折り畳まずに収納するものである。
【００１４】
ここで、この収納ケース３０に収納される造花スタンド１０は、上下面をなす長方形状のダンボール板と、上下面を囲むように設けられた側面をなす長方形状のダンボール板と、で構成されている。そして、造花２０の茎部２１は、造花スタンド１０の上面をなすダンボール板に設けられた複数個の貫通孔１と、造花スタンド１０の上面をなすダンボール板１１の内部側に設けられた固定部材（図示せず）とで支持されるように構成されている。
【００１５】
この収納ケース３０は、図２に示すように、一部に開口面を有する略直方体状の下部ダンボール箱（箱体）３０Ａと、この下部ダンボール箱（箱体）３０Ａと略同一形状の上部ダンボール箱（箱体）３０Ｂとで構成されている。
【００１６】
ここで、下部ダンボール箱３０Ａ及び上部ダンボール箱３０Ｂは、それらの下面をなす略正方形のダンボール板と、それらの側面をなす略長方形状のダンボール板とからなり、それぞれ上面が開口した構成となっている。
【００１７】
下部ダンボール箱３０Ａには、その内部に、造花２０の茎部２１を立てて支持した状態の造花スタンド１０を折り畳まずに収納可能な収納部３１が設けられている。この下部ダンボール箱３０Ａには、その内側面をなす１対のダンボール板の対向面に、造花スタンド１０の上面をなすダンボール板と側面をなすダンボール板との角部を支持可能な支持部材３１Ａがそれぞれ突設されている。
【００１８】
この支持部材３１Ａは、長方形状のダンボール板で構成され、このダンボール板の長辺は、下部ダンボール箱３０Ａの側面をなすダンボール板の短辺と略同一寸法となっている。
【００１９】
上部ダンボール箱３０Ｂには、その下面をなすダンボール板に略楕円形状に開口されて、この開口部に透明シートが貼り付けられた窓部３１Ｂが設けられている。
【００２０】
次に、本実施形態に係る造花スタンド用収納ケース３０の一使用例について説明する。
【００２１】
まず、造花２０の茎部２１を立てて支持した状態の造花スタンド１０を、下部ダンボール箱３０Ａ内の収納部３１に収納する。このとき、造花スタンド１０は、その上面をなすダンボール板と側面をなすダンボール板との角部が、下部ダンボール箱３０Ａの内部に設けられた支持部材３１Ａで支持された状態で収納される。
【００２２】
次に、この下部ダンボール箱３０Ａの開口側に、上部ダンボール箱３０Ｂの開口側を対向させた状態で被せることで、図１に示すように、造花２０を支持した状態の造花スタンド１０を、造花スタンド用収納ケース３０内に収納する。
【００２３】
そして、この造花スタンド用収納ケース３０は、図１に示すように、造花スタンド１０を収納した状態で搬送し、そのまま店舗内に設置して陳列台として使用する。
【００２４】
本実施形態に係る造花スタンド用収納ケース３０によれば、下部ダンボール箱３０Ａの内部に、造花２０の茎部２１を立てて支持した状態の造花スタンド１０を折り畳まずに収納可能な収納部３１を設けたことにより、上述した特許文献１に記載の造花スタンド用収納ケースのように、収納時に造花スタンド１０を折り畳む作業や、設置時に造花スタンド１０を完成状態に仕上げる作業が不要となるため、造花スタンド１０の収納時及び設置時における作業効率を向上させることができる。
【００２５】
また、本実施形態に係る造花スタンド用収納ケース３０によれば、上部ダンボール箱３０Ｂをなす下面に、収納された造花２０の一部が目視可能な窓部３１Ｂを設けたことにより、収納された造花２０を容易に識別できるとともに、この収納ケース３０をそのまま店舗内に設置して陳列台として用いることができる。
【００２６】
さらに、本実施形態に係る造花スタンド用収納ケース３０によれば、ダンボール箱で構成したことにより、軽量で耐久性に優れた構成にできるため、搬送性及び耐久性を向上させることができるとともに、作製に要するコストを低減できる。
【００２７】
なお、本実施形態の造花スタンド用収納ケース３０においては、造花スタンド１０を収納可能な収納部３１を一つ設けた構成としたが、これに限らず、収納部３１を二つ以上設けた構成としてもよい。
【００２８】
また、本実施形態の造花スタンド用収納ケース３０においては、搬送性を考慮して、上部及び下部ダンボール箱３０Ａ，３０Ｂの少なくとも一部に把持部を設けるようにしても構わない。
【００２９】
さらに、本実施形態の造花スタンド用収納ケース３０においては、造花スタンド１０の収納部３１を有する下部ダンボール箱３０Ａと、蓋部として機能する上部ダンボール箱３０Ｂとで構成したが、これに限らず、全体が箱体からなり、その一面に蓋部を備え、その内部に造花スタンド１０の収納部３１を備えた構成としてもよい。
【００３０】
さらに、本実施形態の造花スタンド用収納ケース３０においては、収納された造花２０の一部が目視可能な寸法の窓部３１Ｂを設けた構成としたが、これに限らず、図３に示すように、収納された造花２０の全体が目視可能な寸法の窓部３１Ｂを設けるようにしてもよい。この場合、造花スタンド用収納ケース３０をなすダンボール箱の外面に式典や葬式用の装飾を施して、この造花スタンド用収納ケース３０をそのまま式典や葬式等の式場に設置し、装飾台として使用するようにしても構わない。
【図面の簡単な説明】
【００３１】
【図１】本考案に係る造花スタンド用収納ケースの一使用例を示す斜視図である。
【図２】本考案に係る造花スタンド用収納ケースの一構成例を示す分解斜視図である。
【図３】本考案に係る造花スタンド用収納ケースの他の使用例を示す斜視図である。
【符号の説明】
【００３２】
１    貫通孔
２    固定部材
１０    造花スタンド
２０    造花
２１    茎部
３０    造花スタンド用収納ケース
３１    収納部
３１Ｂ  窓部
【図１】
0003124704.tif 000003
【図２】
0003124704.tif 000004
【図３】
0003124704.tif 000005